(57)【要約】      （修正有） 【課題】長手方向に数メートル乃至数キロメートルの長さを持ちながら、取り扱い中に、水棲生物の生育に供しうる肥料等の有効物質が移動しないようにした水棲生物養殖用施肥テープを提供する。【解決手段】この水棲生物養殖用施肥テープは、熱可塑性繊維を構成繊維の主体とするテープ状不織布よりなる。そして、施肥テープは、その長手方向に直列に配置している小室群１，１，１・・・を備えている。各小室１内には有効物質２が収納されている。小室群１，１，１・・・以外の箇所は、すなわち、幅方向熱シール領域６及び長手方向熱シール領域６では、熱可塑性繊維が融着固化して、各小室１を区画している。この区画によって、有効物質２の移動を阻止している。【選択図】図２
0003145475.tif 000002
【実用新案登録請求の範囲】
【請求項１】
熱可塑性繊維を構成繊維の主体とするテープ状不織布が、その長手方向に直列に配置している小室群を備えており、各小室内には水棲生物の生育に供しうる肥料等の有効物質が収納されており、該小室群以外の箇所は、該熱可塑性繊維が融着固化して、各小室を区画していることにより、該有効物質の移動を阻止していることを特徴とする水棲生物養殖用施肥テープ。
【請求項２】
熱可塑性繊維が低融点成分と高融点成分とからなる複合繊維であり、該低融点成分が融着固化している請求項１記載の水棲生物養殖用施肥テープ。
【請求項３】
水棲生物が、海苔やモズク等の藻類、カキやホタテガイ等の貝類又は魚類である請求項１記載の水棲生物養殖用施肥テープ。
【請求項４】
有効物質が、粉末状、顆粒状又はゲル状である請求項１記載の水棲生物養殖用施肥テープ。
【請求項５】
網に取り付けられて使用される請求項１記載の水棲生物養殖用施肥テープ。
【請求項６】
貝類を駕籠内で養殖する際に、駕籠に取り付けて使用されるか、又は駕籠内に収納して使用される請求項３記載の水棲生物養殖用施肥テープ。
【請求項７】
貝類を筏式垂下法で養殖する際に、筏の周縁に取り付けて使用されるか、又は筏に吊るして使用される請求項３記載の水棲生物養殖用施肥テープ。
【請求項８】
請求項１記載の水棲生物養殖用施肥テープを被覆するように、合成繊維製ストランドが編組され製紐されてなる水棲生物養殖用施肥ロープ。
【請求項９】
網に取り付けられて使用されるか、又は網の耳綱として使用される請求項８記載の水棲生物養殖用施肥ロープ。
【請求項１０】
下記の工程を経て得られた請求項１記載の水棲生物養殖用施肥テープ。
（ａ）熱可塑性繊維を構成繊維の主体とするテープ状不織布素材を、その長手方向に沿って二つ折りする工程。
（ｂ）（ａ）工程の後、幅方向に亙って、前記熱可塑性繊維を融着固化して、幅方向熱シール領域を作成する工程。
（ｃ）（ｂ）工程の後、（ａ）工程で付与された折り目に対向する長手方向端縁において、前記熱可塑性繊維を融着固化し、該長手方向端縁を熱シールして長手方向熱シール領域を作成する工程。
（ｄ）（ｃ）工程で熱シールしながら、二つ折りされたテープ状不織布素材の間に、水棲生物の生育に供しうる肥料等の有効物質を投入する工程。
（ｅ）（ｄ）工程において、所定量の前記有効物質を投入した後、前記有効物質の投入を停止して、再び（ｂ）工程を適用し、前記有効物質が収納されてなる小室を作成する工程。
（ｆ）以下、（ｃ）工程、（ｄ）工程及び（ｅ）工程を繰り返す工程。
【請求項１１】
下記の工程を経て得られた請求項１記載の水棲生物養殖用施肥テープ。
（ａ’）熱可塑性繊維を構成繊維の主体とするテープ状不織布素材を、その長手方向に沿って二つ折りする工程。
（ｂ’）（ａ’）工程で付与された折り目に対向する長手方向端縁近傍を残して、幅方向に亙って、前記熱可塑性繊維を融着固化して、一部幅方向熱シール領域を長手方向に所定間隔で作成する工程。
（ｃ’）（ｂ’）工程で作成された隣り合う一部幅方向熱シール領域間であって、二つ折りされたテープ状不織布素材の間に、水棲生物の生育に供しうる肥料等の有効物質を投入する工程。
（ｄ’）（ｃ’）工程の後、（ｂ’）工程で残された長手方向端縁近傍を含む全長手方向端縁近傍において、前記熱可塑性繊維を融着固化し、該全長手方向端縁近傍を熱シールして長手方向熱シール領域を作成する工程。
【考案の詳細な説明】
【技術分野】
【０００１】
本考案は、海苔やモズク等の水棲生物を養殖する際に、水棲生物の生育促進、生育環境の調整及び病害防止等のために使用される水棲生物養殖用施肥テープに関するものである。
【背景技術】
【０００２】
従来より、海苔、モズク、カキ、ホタテガイ等の水棲生物を養殖する際に、水棲生物の生育に供しうる肥料等の有効物質を施すことが行われている。たとえば、養殖場に船から有効物質を散布することが行われている。しかしながら、この方法は、潮の流れが激しいと、有効物質が養殖場外へ流出してゆくので、長期に亙って有効ではない。
【０００３】
このため、たとえば海苔の養殖においては、有効物質をパイプ状容器に収納し、この容器を海苔養殖網の近辺に取り付けておくことが行われている（特許文献１）。パイプ状容器は、内径２５ｍｍ程度、長さ１０００ｍｍ程度で、側面に比較的小さな孔（直径２ｍｍ程度）が穿たれてなるものである。そして、収納された有効物質が水に溶解し、この小さな孔から徐々に養殖場に漏出するようにして、海苔に有効物質を施すことが行われている。
【０００４】
【特許文献１】特開２００２−８４９０４公報（特許請求の範囲及び実施例の項）
【考案の開示】
【考案が解決しようとする課題】
【０００５】
しかしながら、特許文献１記載の方法は、所定の大きさのパイプ状容器を、海苔養殖網の近辺に多数取り付けなければならず、取り付けるのに多大な作業を要するという欠点があった。また、小さな孔といっても、径が２ｍｍ程度もあるため、水に溶解した有効物質だけではなく、有効物質中に存在している異物も漏出し、養殖場を汚染するという欠点もあった。
【０００６】
そこで、本考案者等は、長手方向に数メートル乃至数キロメートルの長さを持つ筒状不織布製容器の中に有効物質を収納し、その両端をたとえば支柱等に縛るだけで取り付ければ、上記した欠点を解決しうるのではないかと考えた。すなわち、長手方向に非常に長いため、数カ所を縛るだけで取り付けることができ、取り付け作業が簡単になると考えた。また、不織布製容器であるため、不織布を構成する繊維相互間の間隙が孔となり、この孔はミクロンレベルの大きさであるので、異物の漏出を防止しうると考えた。
【０００７】
しかしながら、この筒状不織布製容器は、その取り扱い中に有効物質が容器中で移動し、偏在するということがあった。すなわち、この筒状不織布製容器は、非常に長いものであるため、支柱等に縛る場合はその一カ所を持ち上げなければならず、そのときに持ち上げられた箇所から持ち上げられなかった箇所に有効物質が容器中で移動するということがあった。また、筏式垂下法で貝類を養殖する際に、筏に吊るして使用する場合は、有効物質が下方に偏在するということがあった。そして、このため、筒状不織布製容器中に均一に有効物質が存在せず、有効物質が養殖場に均一に施されないという憾みがあった。
【０００８】
本考案は、長手方向に数メートル乃至数キロメートルの長さを持つ不織布製容器でありながら、取り扱い中や使用中に、有効物質が移動しないようにすることを課題とするものである。
【課題を解決するための手段】
【０００９】
すなわち、本考案は、熱可塑性繊維を構成繊維の主体とするテープ状不織布が、その長手方向に直列に配置している小室群を備えており、各小室内には水棲生物の生育に供しうる肥料等の有効物質が収納されており、該小室群以外の箇所は、該熱可塑性繊維が融着固化して、各小室を区画していることにより、該有効物質の移動を阻止していることを特徴とする水棲生物養殖用施肥テープに関するものである。
【００１０】
本考案で用いるテープ状不織布は、熱可塑性繊維を構成繊維の主体とするものである。熱可塑性繊維としては、ポリオレフィン繊維、ポリエステル繊維、ポリアミド繊維等が用いられる。テープ状不織布は熱可塑性繊維のみからなっていてもよいし、熱可塑性繊維の他に、レーヨン繊維やコットン繊維等の非熱可塑性繊維が若干量混合されていてもよい。熱可塑性繊維相互間は、熱可塑性繊維自体の溶融又は軟化によって結合しており、不織布としての形態を維持しているのが好ましい。また、熱可塑性繊維として、低融点成分と高融点成分とからなる複合繊維を用いてもよい。具体的には、低融点成分を鞘成分とし高融点成分を芯成分となる芯鞘型複合繊維や、断面半月状の低融点成分と高融点成分とが貼り合わされてなるサイドバイサイド型複合繊維を用いてもよい。そして、各複合繊維相互間が、低融点成分の溶融又は軟化によって結合されて不織布としての形態を維持しているものであってもよい。低融点成分と高融点成分の組み合わせとしては、ポリエチレン−ポリエステル、低融点ポリエステル−高融点ポリエステル、ポリエチレン−ポリプロピレン、ポリプロピレン−ポリエステル等が挙げられる。なお、熱可塑性繊維は長繊維でも短繊維でもよい。特に本考案においては、ポリエチレンとポリエステルからなる芯鞘型複合長繊維で構成された、ユニチカ株式会社製のスパンボンド不織布「エルベス」（登録商標）等を用いるのが好ましい。
【００１１】
テープ状不織布の目付は任意であるが、一般的３０〜２００ｇ／ｍ2程度のものを採用するのが好ましい。低目付のものは、単位面積当たりの繊維量が少ないため、構成繊維相互間の間隙が大きくなる。すなわち、有効物質２が漏出する孔が大きくなる。また、高目付のものは、単位面積当たりの繊維量が多いため、構成繊維相互間の間隙が小さくなる。すなわち、有効物質２が漏出する孔が小さくなるのである。したがって、有効物質２の種類やそれに含まれる異物の種類に基づいて、有効物質２を徐々に漏出させると共に異物を漏出させないような目付のものを採用するのが好ましい。また、テープ状不織布を得た後に、有効物質２がすぐに漏出してしまったり、異物までも漏出してしまうことが判明することもあるが、この場合には、テープ状不織布の周囲を更に他の不織布を包被することによって、このような欠陥を回避することもできる。
【００１２】
このテープ状不織布は、その長手方向に直列に配置している小室群１，１，１・・・を備えている。小室群１，１，１・・・を備えたテープ状不織布を得るには、たとえば、二枚のテープ状不織布素材を重合し、小室群１，１，１・・・以外の箇所に、熱及び圧力を付加して、不織布中の熱可塑性繊維を溶融又は軟化させ、その箇所を融着させればよい。また、一枚の幅広のテープ状不織布素材を、長手方向に沿って二つ折りして重合し、小室群１，１，１・・・以外の箇所に、熱及び圧力を負荷して、不織布中の熱可塑性繊維を溶融又は軟化させ、その箇所を融着させてもよい（図１）。なお、熱可塑性繊維として複合繊維を採用した場合には、低融点成分のみを溶融又は軟化させ、その箇所を融着させてもよい。この場合には、高融点成分は溶融せず、当初の繊維形態を維持しているので、融着箇所においても、繊維形態を持つ高融点成分が残存しており、石や釘等と接触しても、融着箇所がフィルムの如く裂けやすくなるのを防止しうる。
【００１３】
小室１の中には、水棲生物の生育に供しうる肥料等の有効物質２が収納され、これによって水棲生物養殖用施肥テープとなる。水棲生物としては、主として、海苔やモズク等の藻類、カキやホタテガイ等の貝類、又は魚類が対象となるので、これらの水棲生物の生育促進、生育環境の調整及び病害防止等に効用のあるものが有効物質２として用いられる。このような有効物質２は公知のものであり、たとえば、窒素質肥料、リン酸質肥料、塩化ナトリウム、塩化マグネシウム、有機酸、無機酸、キトサン、固形人糞等が単独で又は混合して用いられる。また、有効物質２の形状は任意であるが、一般的には粉末状、顆粒状又はゲル状であるのが好ましい。
【００１４】
本考案に係る水棲生物養殖用施肥テープは、以下の工程を経て得られるものである。すなわち、
（ａ）熱可塑性繊維を構成繊維の主体とするテープ状不織布素材を、その長手方向に沿って二つ折りする工程。
（ｂ）（ａ）工程の後、幅方向に亙って、前記熱可塑性繊維を融着固化して、幅方向熱シール領域を作成する工程。
（ｃ）（ｂ）工程の後、（ａ）工程で付与された折り目に対向する長手方向端縁において、前記熱可塑性繊維を融着固化し、該長手方向端縁を熱シールして長手方向熱シール領域を作成する工程。
（ｄ）（ｃ）工程で熱シールしながら、二つ折りされたテープ状不織布素材の間に、水棲生物の生育に供しうる肥料等の有効物質を投入する工程。
（ｅ）（ｄ）工程において、所定量の前記有効物質を投入した後、前記有効物質の投入を停止して、再び（ｂ）工程を適用し、前記有効物質が収納されてなる小室を作成する工程。
（ｆ）以下、（ｃ）工程、（ｄ）工程及び（ｅ）工程を繰り返す工程。
よりなるものである。なお、このような工程による製法を、便宜的に縦型製法という。
【００１５】
上記の縦型製法を具体的に説明すれば、以下のとおりである。まず、熱可塑性繊維を構成繊維の主体とするテープ状不織布素材３を準備する。このテープ状不織布素材３の幅は、得られるテープ状不織布の約２倍となっている。テープ状不織布素材３をその長手方向に沿って二つ折りする。そうすると、一方の長手方向端縁は折り目４となり、この折り目４に対向する他方の長手方向端縁８は、テープ状不織布素材３の長手両端縁が単に重合している状態となる。
【００１６】
二つ折りしたテープ状不織布素材３の所定の箇所（たとえば、長手端末の箇所）で、幅方向に亙って、熱シールを施す。たとえば、加熱板５，５を、幅方向に亙って不織布素材に押し当てて、熱可塑性繊維を融着固化すればよい。また、熱可塑性繊維として、低融点成分と高融点成分とからなる複合繊維を使用した場合は、複合繊維の低融点成分を融着固化すればよい。これによって、幅方向熱シール領域６が作成される。この際、幅方向熱シール領域６以外の領域は、熱シールが施されていない。
【００１７】
幅方向熱シール領域６を作成した後、折り目４に対向する長手方向端縁８を、たとえば加熱ロール７，７で挟んで押圧し、熱シールを施す。この熱シールも、熱可塑性繊維を融着固化することによって行われる。もちろん、熱可塑性繊維として複合繊維を用いた場合は、低融点成分が融着固化することによって行われる。これによって、長手方向熱シール領域９が作成される。長手方向熱シール領域９は、一般的に、二つ折りされたテープ状不織布素材３，３を、図３中、下方へ移動させながら作成される。
【００１８】
長手方向熱シール領域９を作成しながら、二つ折りされたテープ状不織布素材３，３の間に、有効物質２を投入する。図３では、有効物質２の形状として、粉末状のものを採用したが、顆粒状やゲル状であっても同様に投入することができる。長手方向熱シール領域６は、テープ状不織布素材３，３を下方へ移動させながら作成されるので、有効物質２の投入も、テープ状不織布素材３，３を下方へ移動させながら行われる。有効物質２を投入するには、有効物質供給管１０を用いればよい。有効物質供給管１０は、テープ状不織布素材３，３の間に、差し入れられている。
【００１９】
有効物質２を所定量（小室１内に収納充填する量）投入した後、有効物質供給管１０からの有効物質２の供給は停止する。そして、二つ折りされたテープ状不織布素材３，３を下方へ移動させ、有効物質２が存在しない箇所が加熱板５，５の箇所に到ったとき、加熱板５，５を、不織布素材へ幅方向に亙って押し当てる。これによって、幅方向熱シール領域６が作成され、有効物質２が所定量収納充填された小室１が作成されるのである。
【００２０】
そして、この後、テープ状不織布素材３，３を下方へ移動させながら、長手方向熱シール領域９の作成及び有効物質２の投入を繰り返すことにより、本考案に係る水棲生物養殖用施肥テープを得ることができる。すなわち、長手方向に直列に配置している小室１，１，１・・・群を備え、各小室１内には有効物質２が収納されている水棲生物養殖用施肥テープを得ることができる。この場合、小室１は、幅方向熱シール領域６と長手方向熱シール領域９に囲繞されて形成されていることになる。
【００２１】
また、本考案に係る水棲生物養殖用施肥テープは、以下の工程を経て得ることもできる。すなわち、
（ａ’）熱可塑性繊維を構成繊維の主体とするテープ状不織布素材を、その長手方向に沿って二つ折りする工程。
（ｂ’）（ａ’）工程で付与された折り目に対向する長手方向端縁近傍を残して、幅方向に亙って、前記熱可塑性繊維を融着固化して、一部幅方向熱シール領域を長手方向に所定間隔で作成する工程。
（ｃ’）（ｂ’）工程で作成された隣り合う一部幅方向熱シール領域間であって、二つ折りされたテープ状不織布素材の間に、水棲生物の生育に供しうる肥料等の有効物質を投入する工程。
（ｄ’）（ｃ’）工程の後、（ｂ’）工程で残された長手方向端縁近傍を含む全長手方向端縁近傍において、前記熱可塑性繊維を融着固化し、該全長手方向端縁近傍を熱シールして長手方向熱シール領域を作成する工程。
よりなるものである。なお、このような工程による製法を、便宜的に横型製法という。
【００２２】
上記の横型製法を具体的に説明すれば、以下のとおりである。まず、テープ状不織布素材３を準備し、その長手方向に沿って二つ折りする点は、縦型製法と同一である。
【００２３】
二つ折りしたテープ状不織布素材３の所定の箇所（たとえば、長手端末の箇所）で、折り目に対向する長手方向端縁近傍を残して、幅方向に亙って、熱シールを施す。たとえば、図４に示すごとく、加熱板５が折り目に対向する長手方向端縁近傍に当接しないようにして、当該加熱板５を幅方向に亙って不織布素材に押し当てて、熱可塑性繊維を融着固化すればよい。これによって、一部幅方向熱シール領域６’が作成される。一部幅方向熱シール領域６’は、有効物質２が投入される前に、テープ状不織布素材３の長手方向に沿って所定間隔で複数個形成される。そして、一部幅方向熱シール領域６’以外の領域は、熱シールが施されていない。
【００２４】
複数個の一部幅方向熱シール領域６’を作成した後、隣り合う一部幅方向熱シール領域６’間で、二つ折りされたテープ状不織布素材の間に、水棲生物の生育に供しうる肥料等の有効物質２を所定量（小室１内に収納充填する量）投入する。有効物質２の投入は、折り目に対向する重合している長手方向端縁の間に有効物質供給管１０を差し入れて行う。有効物質供給管１０を差し入れやすくするため、長手方向の重合端縁を開くためのガイド（図示せず）が設けられているのが好ましい。また、有効物質供給管１０の投入口１１は、熱シールが施されていない長手方向端縁近傍に位置しているのが好ましい。このような位置に投入口１１があれば、スムースに二つ折りされ一部幅方向熱シール領域６’が設けられたテープ状不織布素材３を矢印方向（図４の←）に搬送することができる。投入口１１が一部幅方向熱シール領域６’よりも下方に位置していると、有効物質供給管１０を上方に移動させてテープ状不織布素材３を矢印方向に搬送しなければならず、製法が複雑化する。
【００２５】
有効物質２を、隣り合う一部幅方向熱シール領域６’間であって、二つ折りされたテープ状不織布素材の間に投入した後、折り目４に対向する長手方向端縁８を、たとえば加熱ロール７で挟んで押圧し、熱シールを施す。この熱シールの際、一部幅方向熱シール領域６’を設けた際に未シールの状態で残されていた長手方向端縁近傍にも熱シールを施す。したがって、未シールの長手方向端縁近傍を含む全長手方向端縁８を熱シールを施すのである。この熱シールも、熱可塑性繊維を融着固化することによって行われる。これによって、長手方向熱シール領域９が作成される。長手方向熱シール領域９は、一般的に、二つ折りされたテープ状不織布素材３を、図４中、矢印方向へ移動させながら設ける。長手方向熱シール領域９が作成されると、有効物質２が所定量収納充填された小室１が形成されるのである。
【００２６】
テープ状不織布素材３を矢印方向へ移動させながら、一部幅方向熱シール領域６’の形成、有効物質２の投入、長手方向熱シール領域９の形成を行うことにより、連続的に本考案に係る水棲生物養殖用施肥テープを得ることができる。すなわち、長手方向に直列に配置している小室１，１，１・・・群を備え、各小室１内には有効物質２が収納されている水棲生物養殖用施肥テープを得ることができる。この場合、小室１は、幅方向熱シール領域６と長手方向熱シール領域９に囲繞されて形成されていることになる。
【００２７】
本考案に係る水棲生物養殖用施肥テープは、これ単独で支柱や網に取り付けて使用することができる。たとえば、海苔養殖場で使用する場合、水棲生物養殖用施肥テープの一端を、養殖場に設置した一つの支柱に縛り付け、他の一端を他の支柱に縛り付けて、取り付けることができる。また、海苔養殖網の周縁に沿って数カ所縛りつけ、網に取り付けることもできる。網に取り付けておいた方が、網を設置する作業と同時に施肥テープを養殖場に設けることができるので好ましい。さらに、ホタテガイ等の貝類を駕籠内で養殖する際には、駕籠に取り付けて使用したり、駕籠内に収納して使用してもよい。また、カキ等の貝類を筏式垂下法で養殖する際には、筏の周縁に取り付けて使用してもよいし、筏に吊るして使用してもよい。
【００２８】
また、水棲生物養殖用施肥テープを芯とし、これを編組体で被覆することもできる。すなわち、水棲生物養殖用施肥テープを芯として供給しながら、合成繊維製ストランドを用い、編組機械で編組し、製紐して水棲生物養殖用施肥ロープとすることもできる。合成繊維製ストランドとしては、合成繊維製マルチフィラメント糸条，合成繊維製モノフィラメント糸条，合成繊維製紡績糸条等が用いられる。この水棲生物養殖用施肥ロープもまた、水棲生物養殖用施肥テープと同様にして使用しうるものであり、たとえば、支柱に縛り付けたり、網に縛り付けたりして使用することができる。特に、水棲生物養殖用施肥ロープは綱状となっているため、網の耳綱として使用することも可能であり、この場合にも、網を設置する作業と同時に施肥ロープを養殖場に設けることができるので、好ましい。なお、編組組織は任意でよい。
【考案の効果】
【００２９】
本考案に係る水棲生物養殖用施肥テープは、長手方向に直列に配置された小室群備えており、その小室の中に有効物質が収納されているので、その長さをいくらでも長くすることができ、たとえば数メートル乃至数キロメートルの長さとすることができる。そして、この小室は、不織布の構成繊維である熱可塑性繊維が融着固化することによって、一室づつ、区画されているので、水棲生物養殖用施肥テープの取り扱い中や使用中に有効物質が小室を超えて移動することはない。
【００３０】
したがって、本考案に係る水棲生物養殖用施肥テープは、数メートルから数キロメートルの長さを持つもののまま取り扱い使用することができ、その一端を一つの支柱に縛り付け、他の一端を他の支柱に縛り付けるだけで、それを取り付けることができる。また、一端を筏に縛りつけるだけで、海水中に垂下させることができる。したがって、養殖場への施肥作業を合理化しうるという効果を奏する。また、本考案に係る水棲生物養殖用施肥テープを、海苔養殖網等の網の周縁に沿って設けておけば、網の設置と共に水棲生物養殖用施肥テープを養殖場に取り付けることになるので、作業を合理化しうるという効果を奏する。
【図面の簡単な説明】
【００３１】
【図１】本考案に係る水棲生物養殖用施肥テープの平面図である。
【図２】図１の水棲生物養殖用施肥テープのＡ−Ａ線断面図である。
【図３】水棲生物養殖用施肥テープを縦型製法で製造する際の模式図であり、（ａ）は、折り目に対向する長手方向端縁から見た側面図であり、（ｂ）は平面図である。
【図４】水棲生物養殖用施肥テープを横型製法で製造する際の模式的平面図である。
【符号の説明】
【００３２】
１      小室
２      有効物質
３      テープ状不織布素材
４      折り目
５      加熱板
６      幅方向熱シール領域
６’    一部幅方向熱シール領域
７      加熱ロール
８      折り目に対向する長手方向端縁
９      長手方向熱シール領域
１０    有効物質供給管
１１    有効物質供給管の投入口
【図１】
0003145475.tif 000003
【図２】
0003145475.tif 000004
【図３】
0003145475.tif 000005
【図４】
0003145475.tif 000006